(57)【要約】【課題】  コンピュータの使用モードによる画面設定の変更を容易にする。【解決手段】  画面調整キーモニタリング部２８と、ＲＧＢ調節部３０、ガンマ値調節部３２及び輝度調節部３４と、画面設定格納部３６と，ビデオドライバ４０とを設け，コンピュータの使用モードに応じて予め使用者によりＲＧＢ調節部、ガンマ値調節部及び輝度調節部を通じて設定された画面調整値を画面設定格納部に格納し，画面調整キーモニタリング部が使用者からの使用モード変更通知を感知した時に予め格納した該使用モードに対応する画面調整値をビデオドライバに渡し，ビデオコントローラー１５を制御して，画面調整値が反映された映像信号をモニター２０に出力するようにした。【選択図】    図２
2004157525.tif 000002
【特許請求の範囲】
【請求項１】
ディスプレイ装置に映像信号を供給するビデオコントローラーを少なくとも含むコンピュータ映像制御システムを用いて実現されるコンピュータ映像制御方法であって：
コンピュータ映像制御システムが，
前記ディスプレイ装置に表示される映像の画面表示状態を調節するための画面調整値を予め設定する過程と、
使用者による前記画面表示状態に対する変換通知を感知する過程と，
前記ディスプレイ装置に提供する前記映像信号を前記変換通知に基づき変換後の前記画面表示状態に対応するべく予め設定された前記画面調整値に応じて調整する過程と、
前記画面調整値に応じて調整された前記映像信号を前記ビデオコントローラーを介して前記ディスプレイ装置へ出力する過程と，
を含むことを特徴とするコンピュータ映像制御方法。
【請求項２】
前記画面調整値を予め設定する過程は、
前記ディスプレイ装置に表示される動映像の明るさ、色相、コントラスト及びガンマ値のうち、いずれかを調節するための調整値を設定する過程であることを特徴とする請求項１に記載のコンピュータ映像制御方法。
【請求項３】
前記コンピュータ映像制御システムは，前記ディスプレイ装置に前記動映像が表示された場合に前記画面表示状態を自動的に変換する画面変換自動実行機能を備え，
使用者により前記画面変換自動実行機能が選択されたことを感知する過程と，
前記ディスプレイ装置に前記動映像が表示されたか否かを判断する過程と、
前記ディスプレイ装置に前記動映像が表示されたと判断した場合に前記ディスプレイ装置に提供する前記映像信号を前記予め設定された前記画面調整値に応じて調整する過程と、
前記画面調整値に応じて調整された前記動映像信号を前記ビデオコントローラーを介して前記ディスプレイ装置へ出力する過程とを含むことを特徴とする請求項１または２に記載のコンピュータ映像制御方法。
【請求項４】
ディスプレイ装置に映像信号を供給するビデオコントローラーおよび前記ビデオコントローラーを制御するビデオドライバを有するコンピュータ映像制御システムを用いて実現されるコンピュータ映像制御方法であって：
コンピュータ映像制御システムが，
オペレーティングシステムの配下で前記ディスプレイ装置に表示される映像の画面表示状態を調節するための画面調整値を予め設定する過程と、
前記オペレーティングシステムに伝えられる使用者の入力信号を取得する過程と、
前記入力信号が前記画面表示状態の変換選択信号であるか否かを確認する過程と、
前記入力信号が前記変換選択信号であった場合に予め設定された前記画面調整値を前記ビデオドライバに提供する過程と、
前記ビデオドライバを制御し前記ディスプレイ装置に提供する前記映像信号を前記予め設定された前記画面調整値に基づいて調整させる過程と、
前記予め設定された画面調整値に応じて調整された前記映像信号を前記ビデオコントローラーを介して前記ディスプレイ装置へ出力する過程とを含むことを特徴とするコンピュータ映像制御方法。
【請求項５】
ディスプレイ装置に映像信号を供給するビデオコントローラーを含むコンピュータ映像制御システムであって：
前記ディスプレイ装置に表示される映像の画面表示状態を調節するための画面調節部と、
前記画面調節部を通じて入力された画面調整値が格納される画面調整値格納部と、
前記ディスプレイ装置に表示される前記映像の画面表示状態の変換通知を感知する画面状態変換通知感知部と、
前記変換通知に基づき変換後の画面表示状態に対応するべく予め前記画面調整値格納部に格納された前記画面調整値に応じて前記映像信号を調整し，前記調整された映像信号を前記ディスプレイ装置へ出力するように前記ビデオコントローラーを制御する制御部と，
を含むことを特徴とするコンピュータ映像制御システム。
【請求項６】
前記画面調整値格納部には前記画面調節部を通じて入力された動映像表示時の画面調整値が格納され、
前記制御部は，前記画面状態変換通知感知部により感知された前記変換通知に基づき変換後の画面表示状態が前記動映像表示時に対応する場合には前記画面調整値格納部に格納された前記動映像表示時の画面調整値に応じて前記映像信号を調整し，前記調整された映像信号を前記ディスプレイ装置へ出力するように前記ビデオコントローラーを制御することを特徴とする請求項５に記載のコンピュータ映像制御システム。
【請求項７】
前記ディスプレイ装置に動映像が表示された場合に前記画面表示状態を自動的に変換する画面変換自動実行機能を実行せしめる画面変換自動実行選択部をさらに含み、
前記画面変換自動実行選択部を通じて前記画面変換自動実行機能が実行された場合、前記制御部は，前記ディスプレイ装置に前記動映像が表示されていることが感知された時に前記画面調整値格納部に格納された前記動映像表示時の画面調整値に応じて前記映像信号を調整し，前記調整された映像信号を前記ディスプレイ装置へ出力するように前記ビデオコントローラーを制御することを特徴とする請求項５または６に記載のコンピュータ映像制御システム。
【発明の詳細な説明】
【技術分野】
【０００１】
本発明はコンピュータ映像制御システム及びコンピュータ映像制御方法に関する。
【背景技術】
【０００２】
現在、コンピュータにおいては映像、サウンドなどのマルチメディアデータの処理機能が強化されている。そのため，コンパクトディスク（ＣＤ），ＴＶカード及びインターネットなどを通じて提供されるマルチメディアデータをコンピュータで再生することができ，様々な動映像をコンピュータで利用できる。さらに、オンラインゲームの大衆化とともにコンピュータで実行可能な各種ゲームがコンピュータの使用者に提供されるなど，コンピュータを通じて提供されるマルチメディア動映像の種類は多様になりつつある。
【０００３】
このようにコンピュータを通じて動映像を鑑賞したり、ゲーム映像を表示させたりする場合、明るさ、コントラスト、ガンマ値及び鮮明さなどのモニターの画面設定を変更させることにより、動映像の画質を向上させうる。
【０００４】
前記画面表示機能の設定はモニターに備えられるＯＳＤ（Ｏｎ  Ｓｃｒｅｅｎ  Ｄｉｓｐｌａｙ）を用いて変更することができる。従って、モニターの画面設定を変更しようとする場合、使用者はディスプレイ装置に備えられたＯＳＤキーを用いてＯＳＤメニューを表示させ，表示されたメニューを選択してモニター画面設定を変更する。ＯＳＤを用いて画面設定を変更するためには，画面が最適な状態になるように輝度値、コントラスト値などを各々増減させる。
【発明の開示】
【発明が解決しようとする課題】
【０００５】
しかし，ＯＳＤを用いて画面設定を変更する場合には，画面に表示されている映像に最適な状態になるように映像の種類等に従って，毎回輝度値、コントラスト値などを各々調節をする必要があり，例えば文書作成などの一般作業モードから動映像再生モードなどに使用モードが変わる度ごとに画面設定を調節しなくてはならないという問題点があった。
【０００６】
一方で，モニター画面調整のためのソフトウェアも開発された。ソフトウェアを用いてモニターの画面を調整する場合、コンピュータは使用者入力による画面設定変更データをモニターに提供する。モニターはコンピュータから提供された画面変更データに応じてモニター自身の設定を変更することにより、表示映像の設定を変更することができる。しかしモニターに，コンピュータからデータを受信し、その受信データに応じて画面設定を変更する機能が支援されない場合、上述した方法で画面設定を変更することは不可能である。
【０００７】
そこで，本発明は，このような問題に鑑みてなされたもので，コンピュータの使用モードによる画面設定の変更を容易にするコンピュータ映像制御システム及び映像制御方法を提供することにある。
【課題を解決するための手段】
【０００８】
上記課題を解決するために，本発明のある観点によれば，ディスプレイ装置に映像信号を供給するビデオコントローラーを少なくとも含むコンピュータ映像制御システムを用いて実現されるコンピュータ映像制御方法であって，コンピュータ映像制御システムが，
前記ディスプレイ装置に表示される映像の画面表示状態を調節するための画面調整値を予め設定する過程と、使用者による前記画面表示状態に対する変換通知を感知する過程と，前記ディスプレイ装置に提供する前記映像信号を前記変換通知に基づき変換後の前記画面表示状態に対応するべく予め設定された前記画面調整値に応じて調整する過程と、前記画面調整値に応じて調整された前記映像信号を前記ビデオコントローラーを介して前記ディスプレイ装置へ出力する過程と，を含むことを特徴とするコンピュータ映像制御方法が提供される。
【０００９】
上記発明では，使用者はコンピュータの使用モードに応じて予め画面表示状態を設定しておくことができる。また，変換通知に基づき，使用者が予め設定した画面調整値に応じて調整された映像信号がディスプレイ装置へ出力されるので，使用者はコンピュータの使用モードの変換のたびに画面表示状態を設定しなくても済む。その結果，使用者はコンピュータの使用モードによる画面設定の変更を容易に行うことができる。
【００１０】
ここで、前記画面調整値を予め設定する過程は、前記ディスプレイ装置に表示される動映像の明るさ、色相、コントラスト及びガンマ値のうち、いずれかを調節するための調整値を設定する過程であることが好ましい。
【００１１】
また、前記コンピュータ映像制御システムが前記ディスプレイ装置に前記動映像が表示された場合に前記画面表示状態を自動的に変換する画面変換自動実行機能を備え，使用者により前記画面変換自動実行機能が選択されたことを感知する過程と，前記ディスプレイ装置に前記動映像が表示されたか否かを判断する過程と、前記ディスプレイ装置に前記動映像が表示されたと判断した場合に前記ディスプレイ装置に提供する前記映像信号を前記予め設定された前記画面調整値に応じて調整する過程と、前記画面調整値に応じて調整された前記動映像信号を前記ビデオコントローラーを介して前記ディスプレイ装置へ出力する過程とをさらに含むことにより，動映像の実行により画面表示状態が自動的に変換されるようにすることができる。
【００１２】
上記課題を解決するために，本発明の別の観点によれば，ディスプレイ装置に映像信号を供給するビデオコントローラーおよび前記ビデオコントローラーを制御するビデオドライバを有するコンピュータ映像制御システムを用いて実現されるコンピュータ映像制御方法であって，コンピュータ映像制御システムが，オペレーティングシステムの配下で前記ディスプレイ装置に表示される映像の画面表示状態を調節するための画面調整値を予め設定する過程と、前記オペレーティングシステムに伝えられる使用者の入力信号を取得する過程と、前記入力信号が前記画面表示状態の変換選択信号であるか否かを確認する過程と、前記入力信号が前記変換選択信号であった場合に予め設定された前記画面調整値を前記ビデオドライバに提供する過程と、前記ビデオドライバを制御し前記ディスプレイ装置に提供する前記映像信号を前記予め設定された前記画面調整値に基づいて調整させる過程と、前記予め設定された画面調整値に応じて調整された前記映像信号を前記ビデオコントローラーを介して前記ディスプレイ装置へ出力する過程とを含むことを特徴とするコンピュータ映像制御方法が提供される。
【００１３】
上記発明では，使用者はコンピュータの使用モードに応じて予め画面表示状態を設定しておくことができる。また，変換通知に基づき，使用者が予め設定した画面調整値に応じて調整された映像信号がディスプレイ装置へ出力されるので，使用者はコンピュータの使用モードの変換のたびに画面表示状態を設定しなくても済む。その結果，使用者はコンピュータの使用モードによる画面設定の変更を容易に行うことができる。
【００１４】
上記課題を解決するために，本発明の別の観点によれば、ディスプレイ装置に映像信号を供給するビデオコントローラーを含むコンピュータ映像制御システムであって，前記ディスプレイ装置に表示される映像の画面表示状態を調節するための画面調節部と、前記画面調節部を通じて入力された画面調整値が格納される画面調整値格納部と、前記ディスプレイ装置に表示される前記映像の画面表示状態の変換通知を感知する画面状態変換通知感知部と、前記変換通知に基づき変換後の画面表示状態に対応するべく予め前記画面調整値格納部に格納された前記画面調整値に応じて前記映像信号を調整し，前記調整された映像信号を前記ディスプレイ装置へ出力するように前記ビデオコントローラーを制御する制御部と，を含むことを特徴とするコンピュータ映像制御システムが提供される。
【００１５】
上記発明では，使用者はコンピュータの使用モードに応じて予め画面表示状態を設定しておくことができる。また，変換通知に基づき，使用者が予め設定した画面調整値に応じて調整された映像信号がディスプレイ装置へ出力されるので，使用者はコンピュータの使用モードの変換のたびに画面表示状態を設定しなくても済む。その結果，使用者はコンピュータの使用モードによる画面設定の変更を容易に行うことができる。
【００１６】
上記画面調整値格納部には前記画面調節部を通じて入力された動映像表示時の画面調整値が格納され、前記制御部は，前記画面状態変換通知感知部により感知された前記変換通知に基づき変換後の画面表示状態が前記動映像表示時に対応する場合には前記画面調整値格納部に格納された前記動映像表示時の画面調整値に応じて前記映像信号を調整し，前記調整された映像信号を前記ディスプレイ装置へ出力するように前記ビデオコントローラーを制御するように構成してもよい。
【００１７】
上記ディスプレイ装置に動映像が表示された場合に前記画面表示状態を自動的に変換する画面変換自動実行機能を実行せしめる画面変換自動実行選択部をさらに含み、前記画面変換自動実行選択部を通じて前記画面変換自動実行機能が実行された場合、前記制御部は，前記ディスプレイ装置に前記動映像が表示されていることが感知された時に前記画面調整値格納部に格納された前記動映像表示時の画面調整値に応じて前記映像信号を調整し，前記調整された映像信号を前記ディスプレイ装置へ出力するように前記ビデオコントローラーを制御するように構成してもよい。かかる構成により，動映像の実行時に画面表示状態が自動的に変換されるようにすることができる。
【発明の効果】
【００１８】
以上説明したように本発明によれば，コンピュータの使用モードによる画面設定の変更を容易にするコンピュータ映像制御システム及び映像制御方法が提供される。
【発明を実施するための最良の形態】
【００１９】
以下に添付図面を参照しながら，本発明の好適な実施の形態について詳細に説明する。なお，本明細書及び図面において，実質的に同一の機能構成を有する構成要素については，同一の符号を付することにより重複説明を省略する。
【００２０】
図１は本発明の好適な実施形態にかかるコンピュータ映像制御システムのハードウェア構成要素の制御ブロック図である。図１に示したように、本実施形態にかかるコンピュータ映像制御システムは，中央処理装置であるＣＰＵ３と、メモリ７と、ＢＩＯＳが格納されたＢＩＯＳ ＲＯＭ５と、システムバス１と、モニター２０に映像信号を提供するビデオコントローラー１５と、キーボード１０と、マウス１２と，画面調整キー１１を制御するＩ/Ｏコントローラー９などとを含む。
【００２１】
画面調整キー１１は使用者のコンピュータ使用モードに応じてモニター画面の設定，すなわち画面表示状態を変更可能にするためのものであって、キーボード１０又はコンピュータ本体上に別途のキーとして備える。さらに、キーボード１０上の特定キーを組み合わせたもの(例えば、コントロールキー（ｃｔｒｌ）およびＦ１キー，コントロールキーおよびＦ２キーなど)を画面調整キー１１として使用することもできる。ここで、モニター画面設定を変更する使用モードは複数個となり得るため、各画面調整キー１１は動映像画面調整キー、ゲーム画面調整キー及び一般作業画面調整キーなど、複数個が備えることもできる。
【００２２】
Ｉ/Ｏコントローラー９は画面調整キー１１やキーボード１０及びマウス１２から入力された信号を処理してシステムに有効な信号に変換し、ＣＰＵ３は入力信号に基づいて演算及びシステム構成要素の制御を行う。
【００２３】
ビデオコントローラー１５はシステムバス１を通じて提供されるデータに応じて画面を表示するための映像データを生成してモニター２０に提供し、システムで処理されるデータが表示されるようにする。
【００２４】
一方、ＣＰＵ３は画面調整キー１１を通じて入力された，モニターに表示される画面の設定変更入力信号に応じてビデオコントローラー１５に制御信号を印加し，予め設定された画面調整値に応じてモニター２０に提供される映像信号の設定が変更されるようにする。すなわち、ビデオコントローラー１５からモニター２０へ提供される映像信号自体を補正し、補正された映像信号をモニター２０へ提供することにより、使用者が予め設定した画面調整値による画面が表示されるようにする。
【００２５】
かかる構成をもつ本実施形態にかかるコンピュータ映像制御システムを図２を参照して詳細に説明する。図２は本実施形態にかかるコンピュータ映像制御システムのソフトウェア構成要素の制御ブロック図である。
【００２６】
同図に示したように、コンピュータ映像制御システムはハードウェアであるビデオコントローラー１５を制御するビデオドライバ４０と、ビデオドライバ４０を制御する上位プログラムである画面調整プログラム２６とを含む。
【００２７】
ビデオドライバ４０はビデオコントローラー１５を制御する制御部の一例として構成されるプログラムであって、ハードウェアであるビデオコントローラー１５との論理的結合のためのソフトウェアである。ビデオドライバ４０はビデオコントローラー１５を初期化するか、ビデオコントローラー１５を制御してモニター２０に提供される映像信号の設定値を調整する。 
【００２８】
このようなビデオドライバ４０は出力映像の設定変更のための映像信号演算部４２と出力値調節部４４などを含む。映像信号演算部４２はオンスクリーン領域とオフスクリーン領域に分けられる表示映像に対して、オフスクリーンメモリに格納されたデータとマスクテーブルとの論理積をとり信号の利得値を乗算することにより、該当出力映像信号を変更させることができる。さらに、動映像信号を出力する場合、フレームバッファに格納された動映像データと利得値との論理積をとることにより、動映像表示のために出力される映像信号の設定を変更させうる。上述したように、ビデオドライバ４０はビデオコントローラー１５を制御してモニター２０に提供される出力映像信号を変更させることにより、モニター２０に表示される画面設定の変更を可能にする。出力値調節部４４はモニター２０に変更出力値を含む映像信号が提供されるようにビデオコントローラー１５を制御する。
【００２９】
画面調整プログラム２６はオペレーティングシステム（以下，ＯＳと称する）２２の配下で実行されるアプリケーションであって、使用者から入力された画面調整値をビデオドライバ４０へ提供する。画面調整値がビデオドライバ４０に提供されることにより、ビデオドライバ４０はビデオコントローラー１５を制御し，モニター２０に提供される映像信号の設定を変更させる。
【００３０】
このような画面調整プログラム２６は，画面調整キーモニタリング部２８と、使用者に画面設定調節を行わせるためのＲＧＢ調節部３０、ガンマ値調節部３２及び輝度調節部３４と、変更された画面調整値が格納される画面設定格納部３６とを含む。
【００３１】
画面調整キーモニタリング部２８は画面状態変換通知感知部の一例として構成され，ＯＳ２２が実行されている状態でマウス１２、キーボード１０及び画面調整キー１１などの入力装置による入力信号を取得して，入力信号が画面調整キー１１から入力された信号，すなわち画面表示状態に対する変換通知であるか否かを判断する。したがって、画面調整プログラム２６が実行中である場合、使用者はいつでもモニター画面を調整することができる。
【００３２】
ＲＧＢ調節部３０、ガンマ調節部３２及び輝度調節部３４は画面調節部の一例としてそれぞれ構成される。ＲＧＢ調節部３０、ガンマ調節部３２及び輝度調節部３４を通じて使用者は表示画面の色相、明るさなどの画面設定を変更させることができる。各調節部を通じて使用者により入力された画面調整値は，画面調整プログラム２６を通じてビデオドライバ４０へ提供されることによって，モニター２０に出力される映像信号へと反映される。
【００３３】
画面設定格納部３６は，画面調整値格納部の一例として構成され，ＲＧＢ調節部３０、ガンマ値調節部３２及び輝度調節部３４を介して入力された画面調整値を保存する。
【００３４】
さらに、画面調整プログラム２６は画面調整機能の自動実行を行うことができ，自動実行を行うか否かを選択可能にする自動実行選択部(図示せず)をさらに含む。自動実行選択部は画面変換自動実行選択部の一例として構成され，自動実行選択部により，コンピュータ使用モードの変換時に画面調整機能が自動実行されて画面表示状態が変更されるようにするか、使用者が画面調整キー１１を使用することによって発生する画面表示状態変更通知を画面調整キーモニタリング部２８が感知した場合に画面調整機能が実行されるようにするかを選択することができる。
【００３５】
上述した調節部３０，３２，３４の構成はウィンドウズ（登録商標）メニュー窓などの形態で具現することにより、使用者の便宜を図ることができる。
【００３６】
このような構成により、使用者はＯＳ２２配下のアプリケーションである画面調整プログラム２６を通じて各種の使用モードによる画面状態を設定することができ，設定された画面調整値がビデオドライバ４０へ伝えられる。ビデオドライバ４０は画面調整値に応じてビデオコントローラー１５を制御してモニター２０に出力される映像信号の色相、明るさ及びガンマなどを変更することにより、使用者が設定した画面調整値を表示画面に反映する。 
【００３７】
このように本実施形態にかかるコンピュータ映像制御システムでは画面調整プログラム２６で画面調整機能を実行してビデオコントローラー１５からモニター２０へ出力される映像信号の設定を変更させて画面設定を変更する。すなわち、モニター２０は変更状態の映像信号を表示する処理のみを行うので、モニター２０の性能，機能にかかわらず、画面設定変更機能を適用できる。さらに、画面表示状態が，ＯＳ２２配下のアプリケーションである画面調整プログラムを通じて設定され，変更されるため、画面調整プログラムのプログラミングの仕方によって実行方法、画面調整値などを自由に設定可能で，使用者の便宜を図ることができるため，使用者は簡便にモニター２０に表示される映像に対する画面表示状態を変更することができる。
【００３８】
かかる構成をもつ本実施形態にかかるコンピュータ映像制御システムの映像制御方法を図３の流れ図を参照して詳細に説明する。
【００３９】
使用モードの変換に応じてモニター２０の画面設定を変更しようとする場合、使用者は画面調整プログラム２６を用いて各使用モードに対する画面調整値を予め入力する(Ｓ１０)。使用者は画面調整プログラム２６のＲＧＢ調節部３０、ガンマ値調節部３２及び輝度調節部３４などを通じて画面の明るさ、色相及びガンマ値などの表示状態を調節することができ、入力された各使用モードに対する画面調整値は画面設定格納部３６に格納される。この際、使用者は使用モードの変換に応じて画面設定が自動的に変換される自動画面調整モードにするか、特定キーの入力時に画面設定が変換されるようにするかを選択しうる。
【００４０】
上述した事項の設定が完了された後、画面調整プログラム２６が実行されれば(Ｓ１２)、画面調整プログラム２６は自動画面調整モードであるかを確認する(Ｓ１４)。ここで、自動実行モードはＳ１０で予め設定が可能である。
【００４１】
自動画面調整モードである場合、画面調整プログラム２６は現在モニター２０の使用モードが画面調整対象作業環境であるかを確認する(Ｓ１６)。具体的には，画面調整プログラム２６はＯＳ２２から現在実行中である作業の種類に対するデータを受信することができる。受信後，例えば、予め使用者が動映像表示、ゲーム画面表示状態である場合に画面設定が変換されるように設定した場合であって、作業環境の確認の結果、現在動映像が表示されているか、ゲーム画面が表示されていると判断した場合には、画面調整プログラム２６は現在作業状態に対応する画面調整値をビデオドライバ４０に提供する(Ｓ２０)。ビデオドライバ４０は画面調整プログラム２６から提供される画面調整値に応じてビデオコントローラー１５を制御してモニター２０に調整された映像信号が供給されるようにする(Ｓ２２)。このように自動画面調整モードに設定されている場合、動映像の表示など画面調整が必要な作業が行われると、使用者が予め入力した設定に応じてビデオコントローラー１５から出力される映像信号の明るさ、色相などが調節されて自動に明るさなどの設定が変更された映像がモニター２０に表示される。
【００４２】
一方、自動画面調整モードでない場合、画面調整プログラム２６は画面調整キーモニタリング部２８により画面調整キー１１が押下されたか否かを監視する(Ｓ１８)。画面調整キー１１が押下され，画面調整キーモニタリング部２８により変換通知が感知されると，画面調整プログラム２６は押下された画面調整キー１１に基づいて画面調整キーモニタリング部２８が感知した変換通知に対応する画面調整値をビデオドライバ４０に提供する(Ｓ２０)。ビデオドライバ４０は画面調整プログラム２６から提供される画面調整値に応じてビデオコントローラー１５を制御してモニター２０に調整された映像信号が供給されるようにする(Ｓ２２)。従って、使用者は現在実行中である作業に応じて対応する画面調整キー１１を選択することにより、モニター２０に表示される画面を現在実行中である作業に最適な明るさ、色相を有する画面に変換させることができる。
上述したように、本実施形態は使用者の選択に応じてモニターへ提供される映像信号の明るさ、色相などの設定を変更し，変更した映像信号をモニターに提供することにより、モニターの機能にかかわらず、最適の映像が表示されるようにする。さらに、コンピュータの各使用モードに対応する画面調整値を予め格納し，使用者が画面調整キーを選択した場合，または自動的に，モニターの画面設定が現在の使用モードに最適な状態に変換されるようにすることにより、各使用モードに対応した画面調整を容易にする。
【００４３】
以上，添付図面を参照しながら本発明の好適な実施形態について説明したが，本発明は係る例に限定されないことは言うまでもない。当業者であれば，特許請求の範囲に記載された範疇内において，各種の変更例または修正例に想到し得ることは明らかであり，それらについても当然に本発明の技術的範囲に属するものと了解される。
【産業上の利用可能性】
【００４４】
本発明はコンピュータ映像制御システム及びコンピュータ映像制御方法に適用可能であり、特にコンピュータの使用モードによる画面設定の変更を容易にするコンピュータ映像制御システム及びコンピュータ映像制御方法に適用可能である。
【図面の簡単な説明】
【００４５】
【図１】本発明の実施形態のハードウェア構成要素を示す制御ブロック図である。
【図２】同実施の形態におけるソフトウェア構成要素を示す制御ブロック図である。
【図３】同実施の形態における映像制御方法の流れ図である。
【符号の説明】
【００４６】
３        ＣＰＵ
９        Ｉ/Ｏコントローラー
１０      キーボード
１１      画面調整キー
１２      マウス
1５      ビデオコントローラー
２０      モニター 
２２      オペレーティングシステム(ＯＳ)
２６      画面調整プログラム
２８      画面調整キーモニタリング部
３０      ＲＧＢ調節部
３２      ガンマ値調節部
３４      輝度調節部
３６      画面設定格納部
４０      ビデオドライバ
４２      映像信号演算部
４４      出力値調節部 
【図１】
2004157525.tif 000003
【図２】
2004157525.tif 000004
【図３】
2004157525.tif 000005